(57)【要約】【課題】透明板保持枠が透明板から大きく膨出することのない前面が比較的フラットなタイプのパチンコ遊技機のために設計された球貸し機を、透明板保持枠が大きく膨出したパチンコ遊技機にもそのまま適用することが可能となり、後者タイプのパチンコ遊技機の有用性を高め、ホール経営者がこのタイプの遊技機の導入を決定する際の障害となることがない。【解決手段】遊技盤の前面を覆う透明板４と、透明板の外周を保持し透明板よりも前方に膨出した膨出部１１を備えた透明板保持枠３と、透明板保持枠の下方に位置する上皿６と、を備えたパチンコ遊技機において、透明板保持枠は、膨出部の一部に収納切欠き部１３を備え、収納切欠き部は、パチンコ遊技機の側縁に隣接配置される台間球貸し機１００から上皿の上方に延びて上皿内に貸球を払い出す払出ノズル１０２を収納することができる形状、及び位置関係を備えている。【選択図】      図１
2004267453.tif 000002
【特許請求の範囲】
【請求項１】
遊技盤と、遊技盤の前面を覆う透明板と、透明板の外周を保持し透明板よりも前方に膨出した膨出部を備えた透明板保持枠と、透明板保持枠の下方に位置する打球供給皿と、を備えたパチンコ遊技機において、
前記透明板保持枠は、前記膨出部の一部に収納切欠き部を備え、
前記収納切欠き部は、パチンコ遊技機の側縁に隣接配置される台間球貸し機から前記打球供給皿の上方に延びて打球供給皿内に貸球を払い出す払出ノズルを収納することができる形状、及び位置関係を備えていることを特徴とするパチンコ遊技機。
【請求項２】
前記透明板保持枠は、前記収納切欠き部に着脱自在であると共に収納切欠き部に係着したときにこれを被覆する形状を備えた被覆部材、を備えていることを特徴とする請求項１に記載のパチンコ遊技機。
【請求項３】
前記被覆部材は、前記収納切欠き部内に前記払出ノズルを収納した状態で該収納切欠き部に係着してこれを被覆すると共に、被覆状態において前記払出ノズルから払い出された貸球が前記打球供給皿内に払い出されることを許容する構成を備えていることを特徴とする請求項１又は２に記載のパチンコ遊技機。
【請求項４】
前記被覆部材が前記収納切欠き部内に係着した時に、被覆部材の外面形状は、収納切欠き部周辺の前記膨出部の形状と連続して整合するように構成されていることを特徴とする請求項１、２又は３に記載のパチンコ遊技機。
【請求項５】
前記被覆部材側に係止爪若しくは係止穴を備え、前記透明板保持枠側に係止穴若しくは係止爪を設けて、係止爪を係止穴に係止することにより被覆部材を収納切欠き部に取り付けるように構成したことを特徴とする請求項１、２、３又は４に記載のパチンコ遊技機。
【発明の詳細な説明】
【０００１】
【発明の属する技術分野】
本発明は遊技盤を覆う透明板を包囲する膨出形状の透明板保持枠を備えたパチンコ遊技機の改良に関し、特に遊技機の側方に隣接配置される台間球貸し機から延びて上皿に貸球を供給する払出ノズルを透明板保持枠の膨出部によって妨げられることなく収納することができるパチンコ遊技機に関する。
【０００２】
【従来の技術】
パチンコ遊技機の遊技盤の前面には盤面部品を保護するために透明板保持枠が開閉自在に配置されており、透明板保持枠はガラス板等の透明板の外周を保持する部材である。最近のパチンコ遊技機においては、デザイン的な観点から、透明板保持枠を前方（競技者側）に膨出させたタイプが出回っている。
ところで、パチンコ遊技機をホールに設置する場合には、遊技機の左右側方に台間球貸し機が近接配置されることが多く、球貸し機から延びる払出ノズルを隣接する遊技機の上皿（通常、透明板保持枠の下方に位置する）の直上に延ばしておき、貸球を上皿内に払い出すように構成している。払出ノズルは、隣接する遊技機の透明板保持枠を開放する際に障害とならないように水平方向へ退避可能に構成されている（例えば、特開２００１−３８０３４公報、特開２００２−２２４３７１公報）。
また、従来の球貸し機は、透明板と透明板保持枠との間の段差が少ないタイプ、即ち透明板保持枠に膨出部が存しないタイプのパチンコ遊技機を想定して製作されおり、払出ノズルを遊技機側に水平に回動させて透明板面と略平行な姿勢にセットすれば、そのままノズル先端が上皿の直上に位置決めされる構成となっている。
しかし、透明板保持枠が透明板よりも大きく膨出したタイプの遊技機にあっては、膨出部が上皿の直上にオーバーハングしてこれを塞ぐ形になっているため、これが障害となって払出ノズルの先端を透明板保持枠の下方に位置する上皿の上方に配置して払出すことが困難となる。つまり、払出ノズルを隣接する遊技機側に水平に回動させようとすると、いち早く膨出部に当接してしまい、上皿の上方に達することが不可能となるため、払出が不可能となり、市販の球貸し機を適用できなくなる、という不具合が発生していた。この不具合を解消するためには、球貸し機の払出ノズルの構造を膨出型の透明板保持枠に合わせて設計変更するか、或いは遊技機自体を大幅に設計変更する必要があった。しかし、何れも大幅な改造を伴うため、コスト等の点で問題であり、結果として既存の球貸し機を膨出した透明板保持枠を備えた遊技機に適用できなくなるという不具合が発生していた。
【特許文献１】特開２００１−３８０３４公報
【特許文献２】特開２００２−２２４３７１公報
【０００３】
【発明が解決しようとする課題】
以上のように、前面が比較的フラットな構造を備えたパチンコ遊技機の上皿に対して貸球を供給できるように設計された球貸し機を、前面に膨出部を備えたパチンコ遊技機に適用する場合には、膨出部が障害となって球貸し機の払出ノズル先端を上皿の直上に位置決めすることが困難となるため、実質的に球貸し機を適用できなくなる、という不具合が発生していた。
本発明は上記に鑑みてなされたものであり、透明板保持枠が透明板から大きく膨出することのない前面が比較的フラットなタイプのパチンコ遊技機のために設計された球貸し機を、透明板保持枠が大きく膨出したパチンコ遊技機にもそのまま適用することを目的としている。
【０００４】
【課題を解決するための手段】
上記課題を解決するため、請求項１の発明に係るパチンコ遊技機は、遊技盤と、遊技盤の前面を覆う透明板と、透明板の外周を保持し透明板よりも前方に膨出した膨出部を備えた透明板保持枠と、透明板保持枠の下方に位置する打球供給皿と、を備えたパチンコ遊技機において、前記透明板保持枠は、前記膨出部の一部に収納切欠き部を備え、前記収納切欠き部は、パチンコ遊技機の側縁に隣接配置される台間球貸し機から前記打球供給皿の上方に延びて打球供給皿内に貸球を払い出す払出ノズルを収納することができる形状、及び位置関係を備えていることを特徴とする。
ガラスや樹脂から成る透明板は、遊技盤上の盤面部品類を保護するために遊技盤の前面を覆うように配置されている。この透明板は、その周縁部を透明板保持枠によって保持され、この透明板保持枠は、遊技機本体を構成する外枠等によって前後方向（水平方向）へ開閉自在に軸支されている。従来タイプの遊技機では、透明板と透明板保持枠との段差は少ないため、遊技機前面は比較的フラットな状態にあったが、最近ではデザイン性を高める工夫から透明板保持枠の前面の全部又は一部を大きく前方に膨出させたものが出回ってきている。一方、台間に配置される球貸し機は、従来の前面がフラットなタイプを想定した構成を採っているため、その払出ノズルの払出口を遊技機の打球供給皿（上皿）に臨ませるためには、透明板保持枠に設けた膨出部が大きな障害となる。
本発明によれば、台間球貸し機から打球供給皿の上方に延びて打球供給皿内に貸球を払い出す払出ノズルを収納することができる形状、及び位置関係を備えた収納切欠き部を膨出部に設けたので、上記不具合を解消し、従来タイプの遊技機用に開発された球貸し機をそのまま膨出部を備えたタイプの遊技機に適用することが可能となる。
請求項２の発明に係るパチンコ遊技機は、請求項１において、前記透明板保持枠は、前記収納切欠き部に着脱自在であると共に収納切欠き部に係着したときにこれを被覆する形状を備えた被覆部材、を備えていることを特徴とする。
収納切欠き部は、膨出部に設けた欠落部であり、これが露出したままでは外観上好ましくないので、切欠き部形状に整合した形状の被覆部材により被覆するのが好ましい。また、払出ノズルは、球貸し機前面により水平方向等に回動自在に支持されているので、遊技者が払出ノズルに触れて動かすと、払い出された貸球が的確に上更に入らないトラブルが発生するので、被覆部材によって払出ノズルを隠蔽して操作できないように構成するのが好ましい。
【０００５】
請求項３の発明に係るパチンコ遊技機は、請求項１又は２において、前記被覆部材は、前記収納切欠き部内に前記払出ノズルを収納した状態で該収納切欠き部に係着してこれを被覆すると共に、被覆状態において前記払出ノズルから払い出された貸球が前記打球供給皿内に払い出されることを許容する構成を備えていることを特徴とする。
内部に払出ノズルを収納した収納切欠き部を被覆部材により被覆した場合、ノズル先端の払出口から放出される貸球を打球供給皿内に的確に落下させるための穴や、ガイド等を被覆部材に設けても良い。
請求項４の発明に係るパチンコ遊技機は、請求項１、２又は３において、前記被覆部材が前記収納切欠き部内に係着した時に、被覆部材の外面形状は、収納切欠き部周辺の前記膨出部の形状と連続して整合するように構成されていることを特徴とする。
被覆部材は膨出部の一部を構成するものとするためには、被覆部材の外観デザインが周辺の膨出部の形状等と連続性、整合性を備えたものであることが必要である。
請求項５の発明に係るパチンコ遊技機は、請求項１、２、３又は４において、前記被覆部材側に係止爪若しくは係止穴を備え、前記透明板保持枠側に係止穴若しくは係止爪を設けて、係止爪を係止穴に係止することにより被覆部材を収納切欠き部に取り付けるように構成したことを特徴とする。
被覆部材を収納切欠き部内に収納した状態で脱落しないように保持するためには、係止爪、係止穴などからなる係着手段を設ければよい。
【０００６】
【発明の実施の形態】
以下、本発明を図面に示した実施の形態により詳細に説明する。
図１（ａ）（ｂ）及び（ｃ）は本発明の一実施形態に係るパチンコ遊技機を併設される球貸し機とともに示す斜視図であり、図２（ａ）（ｂ）及び（ｃ）は図１のパチンコ遊技機に球貸し機を固定した構成を示す正面図、平面図、及び球貸し機を取り外した状態を示す側面図、図３（ａ）（ｂ）及び（ｃ）は図１のパチンコ遊技機に球貸し機を固定した構成を示す正面図、平面図、及び球貸し機を取り外した状態を示す側面図である。
本発明の実施形態に係るパチンコ遊技機１は、その側面に球貸し機１００を組付けることによって、球貸し機１００の本体１０１の前面に配置された払出ノズル１０２からの貸球の供給を受け得るように構成されている。
パチンコ遊技機１は、背面側に位置する外枠２の前部に図示しない内枠を備え、内枠によって図示しない遊技盤を支持している。内枠の更に前部には、透明板保持枠３が配置され、透明枠保持枠３の内側開口内には一段引っ込んだ状態でガラス板等から成る透明板４が保持固定されている。透明板保持枠３は、この例では外枠２の左側端縁に設けたヒンジ部５によって水平方向に開閉自在に支持されている。透明板保持枠３の直下に相当する前面には払出ノズル１０２から供給される貸球を受ける上皿（打球供給皿）６が配置され、上皿６の下方には上皿６にオーバーフローした遊技球等を受ける下皿７が配置されている。
このパチンコ遊技機１は、透明板４の外周を保持する透明板保持枠３が前方に大きく膨出することによって、透明板４と膨出部１１との間の段差が大きくなっているタイプである。従って、膨出部１１を有しないタイプのパチンコ遊技機用に設計された球貸し機１００をこのパチンコ遊技機１に適用した場合には、本体１０１の前面から突設されて水平方向に回動自在に支持された払出ノズル１０２を遊技機１側へ回動させて、その先端を上皿６の直上に位置決めしようとした場合には、上皿６の直上に位置して前方に張り出している膨出部の一部１２（図１（ａ））が障害となって払出ノズル１０２を払出位置にまで回動することができない。
【０００７】
これに対して本発明においては、図１（ｂ）（ｃ）、図３（ａ）（ｃ）に示すように、払出ノズル１０２が上皿６の直上にその先端を位置させる際に障害となる膨出部の一部（以下、被覆部材、という）１２に相当する位置に、予め収納切欠き部１３を形成しておき、この収納切欠き部１３の凹形状に対して、被覆部材１２を着脱自在に取り付けて収納切欠き部１３を被覆して払出ノズル１０２を隠蔽することができるように構成している。また、被覆部材１２は、これを収納切欠き部１３内に嵌合させた際には、その外面形状、デザインが収納切欠き部１３の周辺に位置する膨出部の形状、デザインと連続性を有するように予め設計される。
収納切欠き部１３は、上述のように、パチンコ遊技機１の側縁に隣接配置される台間球貸し機１００から延びて上皿６に貸球を払い出す払出ノズル１０２を収納して、ノズル先端が上皿６の直上に位置することを許容する形状、及び位置関係を備えている。
一方、被覆部材１２は、収納切欠き部１３内に着脱可能に嵌合可能な形状を有すると共に、整合状態で嵌合している時には係止手段によって係止されて脱落しないように構成されている。
更に、被覆部材１２は、収納切欠き部１３内に払出ノズル１０２を収納した状態で収納切欠き部１３に係着してこれを被覆すると共に、被覆状態において払出ノズル１０２から払い出された貸球が上皿６内に払い出されることを許容する構成を備えている。即ち、図１（ｂ）、図３（ｃ）等に示すように、被覆部材１２は、略コ字状の側面形状を有し、収納切欠き部１３内に収納された払出ノズル１０２を収納するための凹所１２ａを有し、更に下側張り出し板１２ｂには払出ノズル１０２の先端下面の払出口と対応する位置に図示しない穴（切欠き）を設けて、払出口から放出された貸玉がスムーズに上皿６内に落下するように構成されている。
【０００８】
次に、図４は、収納切欠き部１３に対して被覆部材１２を着脱自在に係着させるための係止手段の構成を示す略図である。この例では、被覆部材１２の下側張り出し板１２ｂと、上側張り出し板１２ｃの適所（この例では先端部）に夫々係止爪１２ｂ’、１２ｃ’を設けると共に、透明板保持枠３の収納切欠き部１３内に係止穴１３’を設け、係止爪を係止穴に係止することにより、被覆部材１２を収納切欠き部１３に対して着脱自在に取り付けるようにしている。
なお、上記の構成とは逆に、被覆部材１２側に係止穴を設け、収納切欠き部１３側に係止穴を設けても良い。
いずれにしても、各張り出し板１２ｂ、１２ｃの弾性を利用して、収納切欠き部１３内に係止するのが、部品点数削減、形状の単純化を図る上で好ましい。
【０００９】
【発明の効果】
以上のように本発明によれば、透明板保持枠が透明板から大きく膨出することのない前面が比較的フラットなタイプのパチンコ遊技機のために設計された球貸し機を、透明板保持枠が大きく膨出したパチンコ遊技機にもそのまま適用することが可能となり、後者タイプのパチンコ遊技機の有用性を高め、ホール経営者がこのタイプの遊技機の導入を決定する際の障害となることがない。
即ち、請求項１の発明によれば、上皿内に貸球を払い出す払出ノズルを収納することができる収納切欠き部を膨出部に設けたので、従来タイプの遊技機用に開発された球貸し機をそのまま膨出部を備えたタイプの遊技機に適用することが可能となる。
請求項２の発明によれば、収納切欠き部に係着したときにこれを被覆する形状の被覆部材を備えているので、膨出部に設けた欠落部としての収納切欠き部を隠蔽して外観の悪化を防止できる。また、払出ノズルも隠蔽されるので、遊技者が払出ノズルに触れて動かす等の不具合を防止できる。
請求項３の発明によれば、収納切欠き部内に払出ノズルを収納した状態で被覆部材を装着したとしても、払出ノズルから払い出された貸球が上皿内に払い出されることを許容することができる。
請求項４の発明によれば、被覆部材の外面形状は、収納切欠き部周辺の膨出部の形状と連続して整合するように構成されているので、外観デザインの不整合による悪化を防止できる。
請求項５の発明によれば、被覆部材を収納切欠き部内に収納した状態で脱落しないように保持することができる。
【図面の簡単な説明】
【図１】（ａ）（ｂ）及び（ｃ）は本発明の一実施形態に係るパチンコ遊技機を併設される球貸し機とともに示す斜視図。
【図２】（ａ）（ｂ）及び（ｃ）は図１のパチンコ遊技機に球貸し機を固定した構成を示す正面図、平面図、及び球貸し機を取り外した状態を示す側面図。
【図３】（ａ）（ｂ）及び（ｃ）は図１のパチンコ遊技機に球貸し機を固定した構成を示す正面図、平面図、及び球貸し機を取り外した状態を示す側面図。
【図４】本発明の一実施形態に係る被覆部材の係着手段を示す図。
【符号の説明】
１  パチンコ遊技機、２  外枠、３  透明板保持枠、４  透明板、５  ヒンジ部、６  上皿、７  下皿、１１  膨出部、１２  被覆部材、１２ａ  凹所、１２ｂ  下側張り出し板、１２ｃ  上側張り出し板、１２ｂ’、１２ｃ’  係止爪、１３  収納切欠き部、１３’  係止穴、１００  球貸し機、１０１  本体、１０２  払出ノズル。
【図１】
2004267453.tif 000003
【図２】
2004267453.tif 000004
【図３】
2004267453.tif 000005
【図４】
2004267453.tif 000006